(57)【要約】【課題】  作業スペースが少なくて済むとともに、短時間で工事を完了することのできるマンホール蓋の受枠交換装置を提供すること。【解決手段】  枠本体と、前記枠本体の両側に配置された車輪と、前記車輪を前記枠本体に対して昇降自在に支持する車輪昇降機構と、前記枠本体に対して昇降自在に支持されるとともに、マンホール蓋の受枠底面に伸縮自在な爪部材を備えた引き抜き爪機構と、前記車輪昇降機構と引き抜き爪機構とを駆動する駆動源とを備えたので、作業スペースが少なくて済むとともに、短時間で工事を完了することができる。また、騒音や振動の発生が少なく、夜間や住宅地でも安心して作業ができる。【選択図】  図１
2007051423.tif 000002
【特許請求の範囲】
【請求項１】
枠本体と、
前記枠本体の両側に配置された車輪と、
前記車輪を前記枠本体に対して昇降自在に支持する車輪昇降機構と、
前記枠本体に対して昇降自在に支持されるとともに、マンホール蓋の受枠底面に伸縮自在な爪部材を備えた引き抜き爪機構と、
前記車輪昇降機構と引き抜き爪機構とを駆動する駆動源とを備えたことを特徴とするマンホール蓋の受枠交換装置。
【請求項２】
前記枠本体は、略円形の底部を有し、前記引き抜き爪機構における爪部材は、円形のマンホール蓋の受枠の半径方向に伸縮することを特徴とする請求項１に記載のマンホール蓋の受枠交換装置。
【請求項３】
前記枠本体は、略方形の底部を有し、前記引き抜き爪機構における爪部材は、方形のマンホール蓋の受枠の辺に対して直角方向に伸縮することを特徴とする請求項１に記載のマンホール蓋の受枠交換装置。
【請求項４】
前記駆動源は、エンジン駆動される油圧機構であることを特徴とする請求項１〜３の何れか１に記載のマンホール蓋の受枠交換装置。
【請求項５】
前記枠本体は、引き手ハンドルを備えたことを特徴とする請求項１〜４の何れか１に記載のマンホール蓋の受枠交換装置。
【発明の詳細な説明】
【技術分野】
【０００１】
この発明はマンホール蓋の受枠交換装置に関するものである。
【背景技術】
【０００２】
マンホール蓋の摩耗や劣化に伴って、マンホール蓋及び蓋用受け枠の交換作業が必要となります。
従来のマンホール蓋の受枠交換方法は、例えば、蓋用受け枠の周囲のアスファルトを円形にカッターで切断した後、古いマンホール蓋の受枠を取り外した後、新しい受枠を設置し、周囲をアスファルト、コンクリート等で固めていた。
或いは、小型重機にマンホール蓋の受枠交換装置を吊り下げ、重機で受枠を引き上げてから取り外した後、新しい受枠を設置し、周囲をアスファルト、コンクリート等で固めていた。
また、他のマンホールの交換方法として、特許文献１に記載されたように、マンホールを包み込む大きさのケーシングを地中に圧入し、マンホール部材と周辺地盤の縁を切り、既存のマンホールを撤去する方法が提案されている。
【特許文献１】特開平１０−１８３６５５号公報
【発明の開示】
【発明が解決しようとする課題】
【０００３】
しかし、上述のマンホール蓋の受枠交換方法では、蓋用受け枠の周囲のアスファルトを円形にカッターで切断する作業が余分に必要であった。
また、小型重機を使用するマンホール蓋の受枠交換装置では、小型重機の作業できるだけのスペースが必要であり、狭い道路では作業が出来ないといった問題点があった。
更に、上記のマンホールの交換方法では、路面を円形に切断するためのカッターやケーシングを圧入するための圧入機械が必要であり狭い、路地や狭い場所での作業ができなかった。
【０００４】
この発明は上記に鑑み提案されたもので、狭い場所でも作業ができるとともに作業性を向上することのできるマンホール蓋の受枠交換装置を提供することを目的とする。
【課題を解決するための手段】
【０００５】
上記目的を達成するために、本発明は枠本体と、前記枠本体の両側に配置された車輪と、前記車輪を前記枠本体に対して昇降自在に支持する車輪昇降機構と、前記枠本体に対して昇降自在に支持されるとともに、マンホール蓋の受枠底面に伸縮自在な爪部材を備えた引き抜き爪機構と、前記車輪昇降機構と引き抜き爪機構とを駆動する駆動源とを備えたことを特徴とする。
【０００６】
また、本発明において、前記枠本体は略円形の底部を有し、前記引き抜き爪機構における爪部材は、円形のマンホール蓋の受枠の半径方向に伸縮することを特徴としている。
【０００７】
また、本発明において、枠本体は略方形の底部を有し、前記引き抜き爪機構における爪部材は、方形のマンホール蓋の受枠の辺に対して直角方向に伸縮することを特徴としている。
【０００８】
また、本発明において前記駆動源は、エンジン駆動される油圧機構であることを特徴としている。
【０００９】
また、本発明において前記枠本体は、引き手ハンドルを備えたことを特徴としている。
【発明の効果】
【００１０】
本発明のマンホール蓋の受枠交換装置は、枠本体と、前記枠本体の両側に配置された車輪と、前記車輪を前記枠本体に対して昇降自在に支持する車輪昇降機構と、前記枠本体に対して昇降自在に支持されるとともに、マンホール蓋の受枠底面に伸縮自在な爪部材を備えた引き抜き爪機構と、前記車輪昇降機構と引き抜き爪機構とを駆動する駆動源とを備えので、狭い場所でも交換作業ができるとともに、作業時間を短縮して作業性を著しく向上することができる。また、騒音や振動の発生が少なく、夜間や住宅地でも安心して作業ができる。
また、本発明において、前記枠本体は略円形の底部を有し、前記引き抜き爪機構における爪部材は、円形のマンホール蓋の受枠の半径方向に伸縮するので、爪部材が効果的に受枠の下に進入することができる。
【００１１】
また、本発明において、枠本体は略方形の底部を有し、前記引き抜き爪機構における爪部材は、方形のマンホール蓋の受枠の辺に対して直角方向に伸縮するので、角型のマンホール受枠の下に爪部材が効果的に進入することができる。また、本発明において前記駆動源は、エンジン駆動される油圧機構であるので、電源やエア配管のない場所であっても作業することができる。また、本発明において前記枠本体は、引き手ハンドルを備えたので、作業員が引いて移動することができる。
【発明を実施するための最良の形態】
【００１２】
車輪を枠本体に対して昇降自在に支持する車輪昇降機構と、枠本体に対して昇降自在に支持されるとともに、マンホール蓋の受枠底面に伸縮自在な爪部材を備えた引き抜き爪機構と、車輪昇降機構と引き抜き爪機構とを駆動する駆動源とを備えたので、狭い場所でも交換作業ができるとともに、作業時間を短縮して作業性を著しく向上することができる。
【実施例１】
【００１３】
以下、一実施の形態を示す図面に基づいて本発明を詳細に説明する。図１は、本発明に係るマンホール蓋の受枠交換装置の全体斜視図、図２は本発明のマンホール蓋の受枠交換装置の概略平面図、図３は本発明のマンホール蓋の受枠交換装置の作動状態を示す側面図である。ここで、本実施例のマンホール蓋の受枠交換装置１０は、枠本体１１と、前記枠本体１１の両側に配置された車輪１２と、前記車輪１２を前記枠本体１１に対して昇降自在に支持する車輪昇降機構１３と、前記枠本体１１に対して昇降自在に支持されるとともに、マンホール蓋の受枠底面１４に伸縮自在な爪部材１５を備えた引き抜き爪機構１６と、前記車輪昇降機構１３と引き抜き爪機構１６とを駆動する駆動源１７とを備えている。
【００１４】
枠本体１１は、略円形の底部１１ａを有し、引き抜き爪機構１６における爪部材１５は、円形のマンホール蓋の受枠の半径方向に伸縮するように油圧シリンダ１８によって支持されている。爪部材１５は、平面視でそれぞれ９０度づつに４個配置されている。或いは、爪部材１５は、平面視でそれぞれ１２０度づつに３個配置してもよい。また、爪部材１５には、夫々スプリング１９が取り付けられており、各爪部材１５が片寄らないように張力を付与している。更に、各爪部材１５は、油圧シリンダ２０によって枠本体１１に対して昇降自在に支持されている。油圧シリンダ２０は、駆動源であるエンジン２１によって駆動される油圧機構２２で発生した油圧によって駆動される。また、油圧シリンダ２０は、戻しスプリング２３によって初期位置に戻るように付勢されている。
【００１５】
車輪１２は、枠本体１１の両端にそれぞれ一対づつ配置されており、車輪昇降機構１３によって昇降可能に支持されている。車輪昇降機構１３は、油圧シリンダ１３ａと車輪１２を支持する伸縮脚１３ｂとから構成されている。この油圧シリンダ１３ａを伸縮することにより、車輪１２を上下することができる。
【００１６】
車輪昇降機構１３の操作は、レバー２４によって行われる。また、爪部材１５の昇降は、油圧シリンダ２０を操作するレバー２５に行われ、爪部材１５の伸縮は、レバー２６によって行われる。
【００１７】
爪部材１５は、油圧シリンダ２０によって上下動する支柱２８の下端に固着された油圧シリンダ１８によって突出、後退可能に支持されている。また、スプリング１９によって片寄らないように付勢されている。
【００１８】
駆動源１７は、ガソリンエンジン等によって駆動されるため、電源やエアー配管を必要とすることがない。したがって、これらの設備のない場所であっても作業することができる。
【００１９】
以上のように構成されたマンホール蓋の受枠交換装置１０の使用手順について説明する。先ず、マンホール蓋を外したマンホールの直上に枠本体１１を同心状に設置する。その後、レバー２４を操作して車輪１２を上昇させ、枠本体１１の略円形の底部１１ａを路面と接触させる。次に、レバー２５を操作して油圧シリンダ２０によって爪部材１５をマンホールの穴の中に下降させる。図３に示すように爪部材１５が丁度、受枠底面１４の位置に下降した際にレバー２６を操作して、油圧シリンダ１８によって爪部材１５を伸長する。次に、爪部材１５を伸長したまま、レバー２５を操作して油圧シリンダ２０により爪部材１５を上昇させる。受枠がグランドレベルより上に上昇した時点で、レバー２４を操作し、車輪１２を下降させて受枠底面１４をグランドレベルから浮かせる。受枠底面１４及び受枠を保持した爪部材１５が車輪１２によって上昇させられているので、引き手ハンドル２７を持って人力で移動することができる。
【００２０】
このようにして、狭い作業スペースであっても、本発明のマンホール蓋の受枠交換装置によってマンホールの受枠を容易に交換することができる。
【００２１】
また、本発明の他の実施例として枠本体３０は、略方形の底部を有し、前記引き抜き爪機構１６における爪部材１５は、方形のマンホール蓋の受枠の辺に対して直角方向に伸縮するように構成してもよい。
このように構成した場合、方形のマンホール蓋の受枠の交換作業に使用することができる。
【００２２】
尚、本発明は以上の実施の形態に限ることなく、枠本体１１から立設された油圧シリンダの本数が４本である場合について説明した、これに限ることなく３本であってもよい。また、この場合、油圧シリンダによって上昇下降する爪部材１５も３本でよい。
【図面の簡単な説明】
【００２３】
【図１】図１は、本発明に係るマンホール蓋の受枠交換装置の全体斜視図である。
【図２】図２は、同マンホール蓋の受枠交換装置の概略平面図である。
【図３】図３は、同マンホール蓋の受枠交換装置の作動状態を示す側面図である。
【符号の説明】
【００２４】
１０    マンホール蓋の受枠交換装置
１１    枠本体
１２    車輪
１３    車輪昇降機構
１３ａ  油圧シリンダ
１３ｂ  伸縮脚
１４    受枠底面
１５    爪部材
１６    引き抜き爪機構
１７    駆動源
１８    油圧シリンダ
１９    スプリング
２０    油圧シリンダ
２１    エンジン
２２    油圧機構
２３    戻しスプリング
２４〜２６  レバー
２７    引き手ハンドル
２８    支柱
【図１】
2007051423.tif 000003
【図２】
2007051423.tif 000004
【図３】
2007051423.tif 000005